(57)【要約】【課題】尿等の排泄物に対する消臭効果が高く、且つ安全性が高いペット用シート、ペット用トイレに用いられる表面シート及びを提供すること。【解決手段】ペット用シート１は、表面シート２、裏面シート３及び両シート２，３間に介在する吸収体４を有する。ペット用シート１は、おが屑常温水抽出液によって消臭効果が付与されている。該抽出液によって表面シート２及び／又は吸収体４に消臭効果が付与されていることが好ましい。ペット用トイレ１０の表面シート１３は、おが屑常温水抽出液によって消臭効果が付与されている。【選択図】図２
2008161150.tif 000002
【特許請求の範囲】
【請求項１】
表面シート、裏面シート及び両シート間に介在する吸収体を有し、おが屑常温水抽出液によって消臭効果が付与されているペット用シート。
【請求項２】
前記おが屑常温水抽出液によって表面シートに消臭効果が付与されている請求項１記載のペット用シート。
【請求項３】
前記おが屑常温水抽出液によって吸収体に消臭効果が付与されている請求項１記載のペット用シート。
【請求項４】
おが屑常温水抽出液によって消臭効果が付与されているペット用トイレの表面シート。
【発明の詳細な説明】
【技術分野】
【０００１】
本発明は、犬や猫等のペットが排泄した尿等の排泄物を吸収するためのペット用シートに関する。また本発明は、犬や猫等のペット用トイレに用いられる表面シートに関する。
【背景技術】
【０００２】
犬や猫等のペットを住居内で飼育する際に、ペットが排泄した尿等の排泄物を吸収するために、排泄物吸収シートが使用されている。そのようなシートは一般に、液透過性の表面シート、液不透過性の裏面シート及び両シート間に介在する液保持性の吸収体を備えている。従来より、このような構造の吸収シートに各種薬剤を施して種々の機能を付与することが提案されている。
【０００３】
例えば特許文献１には、吸収体中に天然物素材からなる抗菌消臭用粉体を含有させることが記載されている。この抗菌消臭用粉体としては、製茶加工工程において排出される水溶性成分未抽出の茶や、檜材の粉末が用いられる。また、特許文献２には、茶葉抽出物が付着している表面シートと、この表面シートに周縁部で接合される裏面シートとの間に、フラッフ状繊維から成る吸収層が介在し、吸収層の表層に茶葉粉体を混在させたペット用排尿吸収具が記載されている。このペット用排尿吸収具は、表面シート内の尿が通過した領域及び吸収層内に吸収された尿にカテキン成分が溶出するので、アンモニア臭の発生を確実に抑えるとされている。
【０００４】
更に特許文献３においては、ローズマリー、ひまわり種子、生コーヒー豆、ブドウの果皮、ブドウの種子、リンゴ、ニンジンの葉、茶の葉の各抽出物からなる群から選ばれる一種又は二種以上の抽出物及びフェノール性化合物を酸化する酵素とから成る消臭剤組成物と、吸水性ポリマーを含有することを特徴とする衛生用品が提案されている。
【０００５】
【特許文献１】特開２００４−１４１０７７号公報
【特許文献２】特開２００６−２４６７８５号公報
【特許文献３】特開２００１−５２７号公報
【発明の開示】
【発明が解決しようとする課題】
【０００６】
しかし、特許文献１のように木材自体を使用したペット用シートでは、木材の乾燥粉末を均一な厚さに散布するため製造工程が複雑になったり、均一な厚さに維持されたペット用シートを提供することが困難であったり、吸収層の厚みが厚くなってしまうなど問題がある。一方、特許文献２に記載の茶葉抽出物やカテキンは生理活性が高いため、特に表面シートに適用すると保存中に変色したり分解して効果がなくなりやすいという問題がある。特許文献３では、抽出した抽出液は減圧下に濃縮し、噴霧乾燥又は凍結乾燥などの手段により乾燥粉末としたものを使用しており、濃縮や乾燥工程で植物抽出物が変質している可能性がある。
【０００７】
したがって本発明の目的は、前述した従来技術が有する欠点を解消し得るペット用シート及びペット用トイレの表面シートを提供することにある。
【課題を解決するための手段】
【０００８】
本発明は、表面シート、裏面シート及び両シート間に介在する吸収体を有し、おが屑常温水抽出液によって消臭効果が付与されているペット用シートを提供するものである。
【０００９】
また本発明は、おが屑常温水抽出液によって消臭効果が付与されているペット用トイレの表面シートを提供するものである。
【発明の効果】
【００１０】
本発明のペット用シート、及び本発明の表面シートを用いたペット用トイレは、尿等の排泄物に対する消臭効果が高く、ペットの足の裏に直接触れる部分、例えば表面シートの表側に用いても安全性が高いものである。本発明のペット用シート及び本発明の表面シートを用いたペット用トイレは、木材自体を使用したペット用シートのように吸収層の厚みが厚くなってしまうこともなく、製造工程も煩雑にならない。また、本発明のペット用シート、及び本発明の表面シートを用いたペット用トイレは、おが屑常温水抽出液によって消臭効果が付与されているため、貯蔵時にもペット用シート又は表面シートにおいて消臭成分が安定な状態で存在し、消臭成分の分解や変色が起こりづらいため好ましい。また更に、本発明で用いられているおが屑常温水抽出液は油溶性のテルペン類等の含有率が低く木材特有の香りそのものは低いので、これにより消臭効果が付与されたペット用シート及びペット用トイレは、ペットにとって使用しやすいと考えられる。また更に、本発明で用いられているおが屑常温水抽出液は常温水にて直接抽出したものであるため、減圧濃縮、噴霧乾燥又は凍結乾燥などの濃縮や乾燥工程を経ていないため植物抽出物における消臭成分の変質も少ないものである。
【発明を実施するための最良の形態】
【００１１】
以下本発明を、その好ましい実施形態に基づき図面を参照しながら説明する。図１ないし図４に示すように、本実施形態のペット用シート１は、平面視して長方形の形状を有している。ペット用シート１は、表面シート２、裏面シート３及び両シート２，３間に介在する吸収体４を有している。表面シート２は、ペットから排泄された尿等の受液面を構成しており、液透過性のシートから構成されている。裏面シート３は、受液面と反対側の面を構成しており、撥水性ないし液不透過性のシートから構成されている。
【００１２】
表面シート２及び裏面シート３は何れも同形同寸であり、ペット用シート１の外形をなしている。吸収体４は、表面シート２及び裏面シート３よりも一回り小さな寸法になっている。表面シート２及び裏面シート３は吸収体４の周縁から外方に延出しており、それらの延出部分が互いに接合されている。接合手段としては例えばホットメルト型接着剤、ヒートシール、超音波シールが用いられる。これによって、吸収体４の上面はその全域が表面シート２によって被覆されている。また吸収体４の下面はその全域が裏面シート３によって被覆されている。
【００１３】
表面シート２と吸収体４との間、及び吸収体４と裏面シート３との間は、ホットメルト型接着剤で接合されている。これによって、ペット用シート全体としての保形性を確保している。表面シート２と吸収体４との間の接合に関しては、ホットメルト型接着剤を、スパイラル状、格子状、ストライプ状、散点状等の非連続パターンで塗布することが好ましい。これによって表面シート２から吸収体４への液の移動が確保される。
【００１４】
ペット用シート１を構成するこれらの部材としては、従来この種の製品に用いられてきた材料と同様のものを用いることができる。例えば表面シートとしては液透過性のシート材料を用いることができる。このシート材料には、後述するように特定の抽出液が施される。シート材料の素材としては、例えばポリエチレンやポリプロピレン等のポリオレフィン系樹脂、ポリエチレンテレフタレート等のポリエステル系樹脂、ポリアミド系樹脂などの各種熱可塑性樹脂が挙げられる。これらの素材からなるシート材料は、例えば繊維シート、フィルム、これらの積層体の形態であり得る。シート材料が撥水性の素材から構成されている場合には、各種親水化剤による親水化処理を施してもよい。
【００１５】
前記のシート材料が繊維シートである場合、該繊維シートとしては、織布及び不織布の何れも用いることができる。ペット用シート１が使い捨てのものであることを考慮すると、経済性の観点から該繊維シートとして不織布を用いることが好適である。繊維シートとして不織布を用いる場合、該不織布としては、例えばスパンボンド不織布、エアスルー不織布、スパンレース不織布、ニードルパンチ不織布、ケミカルボンド不織布などを用いることができる。これらの不織布のうち、強度が高く、また液透過性が良好な不織布であるスパンボンド不織布を用いることが好ましい。
【００１６】
前記の繊維シートは繊維間に空隙を有しているので、この空隙を通して液を透過させることが可能である。しかし、該繊維シートに開孔処理を施して多数の開孔を規則的又は不規則に形成し、液の透過を一層確実にしてもよい。シート材料がフィルムである場合には、液の透過を確保するために、該フィルムに開孔処理を施して多数の開孔を規則的又は不規則に形成することが必要である。これら繊維シートやフィルムに形成される開孔は、平面的なものでもよく、或いは漏斗状の立体的なものでもよい。特に開孔が立体的であると、吸収体４に吸収された液の逆戻り、即ちウエットバックが起こりにくくなるので有利である。
【００１７】
表面シート２を構成するシート材料は、それが繊維シートであるか或いはフィルムであるかを問わず、その坪量が１０〜５０ｇ／ｍ2、特に１５〜２５ｇ／ｍ2であることが、表面シート２の十分な強度の確保の観点から好ましい。
【００１８】
ペット用シート１における裏面シート３としては、熱可塑性樹脂からなる液不透過性のフィルムを用いることができる。またこのフィルムに不織布等を積層してもよい。或いは裏面シーと３として、スパンボンド−メルトブローン−スパンボンド不織布のような撥水性のシート材料を用いてもよい。裏面シート３は、その坪量が１０〜５０ｇ／ｍ2、特に１５〜３０ｇ／ｍ2であることが、裏面シート３の十分な強度の確保の観点及び十分な液遮断性の確保の観点から好ましい。
【００１９】
ペット用シート１における吸収体４としては、吸液素材、例えばフラッフパルプ、高吸収性ポリマー、それらの混合積繊体、ティッシュペーパーなどを用いることができる。特に、フラッフパルプと高吸収性ポリマーの混合積繊体を用いると、十分な吸収容量を確保し得る観点から好ましい。この混合積繊体を用いる場合、その周囲をティッシュパーパーなどの吸収紙で被覆することが、該混合積繊体の保形性の確保や、高吸収性ポリマーの脱落防止の観点から好ましい。本実施形態においては、吸収体４は、図３及び図４に示すように、フラッフパルプ等の吸液性繊維の集合体を主体とし、高吸収性ポリマーの粒子を含んだ吸収性コア４１と、吸収性コア４１の上面を被覆する上面被覆シート４２と、吸収性コア４１の下面を被覆する下面被覆シート４３とからなる。上面被覆シート４２及び下面被覆シート４３はティッシュペーパーからなる。吸収性コア４１はその坪量が３０〜５００ｇ／ｍ2、特に５０〜３００ｇ／ｍ2であることが、十分な吸液性の確保の観点から好ましい。
【００２０】
前記の吸収性コア４１は、長方形の平面視形状を有している。上面被覆シート４２は、長方形の平面視形状を有しており、その長さ及び幅は、吸収性コア４１の長さ及び幅とほぼ同じである。下面被覆シート４３は、長方形の平面視形状を有しており、その長さは、吸収性コア４１の長さとほぼ同じであるが、その幅は、吸収性コア４１の幅よりも長くなっている。
【００２１】
吸収性コア４１は、下面被覆シート４３の上面に、吸収性コア４１の長手方向両端部を下面被覆シート４３の長手方向両端部とほぼ一致させ、且つ吸収性コア４１の幅方向両端部を、下面被覆シート４３の幅方向両端部よりもそれぞれ幅方向内方に後退させた状態で配設されている。そして、吸収性コア４１の幅方向両端部それぞれから幅方向に延出した下面被覆シート４３は、上面被覆シート４２と吸収性コア４１との積層体の上面側に折り返され、上面被覆シート４２の上面に接合されている。
【００２２】
ペット用シート１の寸法（即ち表面シート２及び裏面シート３の寸法）は、対象となるペットの大きさに合わせて適宜設定される。長さは例えば３８〜４８ｃｍであり、幅は例えば３０〜４０ｃｍである。
【００２３】
而してペット用シート１は、おが屑常温水抽出液によって消臭効果が付与されている点に特徴を有する。木材には消臭効果、防腐効果、芳香効果などがあることが知られているところ、本発明者らは、特におが屑を特定温度の水に浸漬して有効成分を抽出した抽出液がおが屑熱水抽出液と比較して、ペットから排泄される排泄物の消臭に特に効果が高いことを知見した。抽出液を得る好適な方法は以下のとおりである。
【００２４】
まず原料となるおが屑は、木材の原木やチップを磨砕したものなど、表面積が大きく、抽出に適した形態であれば大きさ等は特に制限はない。木材の種類としては、針葉樹及び広葉樹の何れをも用いることができる。針葉樹としては、松科、杉科、檜科の木材が好適である。例えば赤松、エゾ松、トド松、ダグラスファー（米松）、ヘムロック（米栂）、スプルース、杉、檜などを用いることができる。広葉樹脂としては、例えばブナ、ユーカリ、オーク、ポプラ、アルダーなどを用いることができる。これらの木材は単独で、又は２種以上を組み合わせて用いることができる。特に、消臭効果を有する物質を多く含む観点から、松科、杉科、檜科の木材の１種又は２種以上を用いることが好ましい。
【００２５】
これらのおが屑を常温水に浸漬して抽出を行う。本明細書でいう常温とは、１０〜３０℃のことである。おが屑の抽出液は、熱水やアルコールを用いても得ることができるが、本発明者らの検討の結果、常温水で抽出を行った場合、顕著に消臭効果が高いことが判明した。好適な抽出の条件は次のとおりである。おが屑の１００重量部に対して常温の水２０００〜５０００重量部、特に３０００〜４０００重量部を混合してそのまま放置する。ときどき撹拌しながら、２〜１０時間、特に３〜５時間行い有効成分を抽出する。次いで、固液分離を行い、目的とする抽出液を得る。
【００２６】
抽出液は、ペット用シート１を構成する少なくとも１つの部材に施され、消臭効果が付与される。消臭効果を一層高める観点からは、表面シート２及び／又は吸収体４に消臭効果を付与することが好ましい。表面シート２に消臭効果を付与する場合には、該表面シート２の片面又は両面に付与すると良く、特に、表面シート２の表側に裏側より多量に抽出液を施すことで表面シート上に残存する尿の臭いを効果的に消臭することが可能となる。表面シート２に消臭効果を付与する方法としては、該表面シート２を構成する液透過性シートに前記の抽出液を噴霧したり、該表面シート２を構成する液透過性シートを前記の抽出液に浸漬した後、余分の抽出液を除去し乾燥させればよい。吸収体４に消臭効果を付与する場合には、例えば吸収体４の一部である吸収性コア４１に抽出液を噴霧後乾燥させればよい。噴霧量は、抽出液に含まれる有効成分の濃度に依存するところ、前記の条件で抽出した場合には、表面シート１ｍ2に対して１０〜１００ｇ、特に２０〜７０ｇ噴霧することが好ましく、また、吸収体１００ｇに対して１０〜１００ｇ、特に２０〜７０ｇ噴霧することが好ましい。液透過性シートの受液面に、裏面よりも多くの抽出液を施すためには、例えば液透過性シートの受液面側からのみ親水化剤をスプレーしても良い。
【００２７】
前記の抽出液による消臭作用は天然物に由来しているので、ペットに対して安全であり、また臭いが穏やかであるという利点がある。また、抽出媒体が水なので、抽出された有効成分は水溶性のものである。したがって該抽出液を例えば表面シート２に施しても液の透過性が阻害されることはない。これに対して、消臭剤として精油を用い、これを表面シートに施すと、表面シートに撥水性の性質が付与されて、液透過性が損なわれることがある。
【００２８】
特に、前記の抽出液を吸収体４に施していなくても表面シート２に施しておくことで、該表面シート２に付着している有効成分は、それが水溶性であることに起因して、その一部が尿に溶解して尿と共に吸収体４へ移行し、吸収体４中を拡散する。吸収体４に移行した有効成分は、該吸収体４中において消臭作用を発揮して、該吸収体４に吸収されている尿から発生する悪臭を消臭する。特に、吸収体４中において有効成分は、吸収された尿が存在する部位と同じ部位に存在しているので（換言すれば、尿で濡らされていない部位には有効成分は存在しないので）、必要最小限の使用量で消臭を効率的に行うことができる。
【００２９】
次に本発明の別の実施形態について図５ないし図７を参照しながら説明する。本実施形態に関し特に説明しない点については、先に述べた実施形態についての説明が適宜適用される。
【００３０】
本実施形態は犬や猫などのペット用トイレに係るものである。ペット用トイレ１０は、トレイ状の受け皿１１、平板状の尿吸収マット１２、液透過性の表面シート１３、及び枠状の押さえ具１４を備えている。そして、前記抽出液によってこの表面シート１３に消臭効果が付与されている。表面シート１３に消臭効果を付与するためには、例えば該表面シート１３を構成する液透過性シートを前記の抽出液に浸漬した後、余分の抽出液を除去し乾燥させればよい。表面シート１３を構成する液透過性シートとしては、先に述べた実施形態で用いたものと同様のものを用いることができる。
【００３１】
受け皿１１は平面視して矩形状であり、その四辺の周縁部１５がすべて起立した形態を有する浅底トレイ状のものである。周縁部１５によって取り囲まれた領域も矩形状をしており、該領域は尿吸収マット１２の収容部１６となっている。収容部１６の底面を基準とした周縁部１５の高さは、尿吸収マット１２の厚みとほぼ同一になっている。尿吸収マット１２は板状のものであり、１枚用いられている。尿吸収マット１２は、少なくとも表面シート１３との対向面が平坦面であることが好ましい。これによって、尿吸収マット１２と表面シート１３とが密接し、両者間に尿残りの原因となる空間が形成されなくなる。その結果、尿に起因する悪臭の発生が抑制される。
【００３２】
尿吸収マット１２は、植物性繊維若しくはパルプ又は粘土鉱物系材料を含む成形原料を板状に成形したものであることが好ましい。尿吸収マット１２を構成する材料の詳細については、例えば本出願人の先の出願に係る特開２００３−１５３６３９号公報に記載されている。尿吸収マット１２は、その厚さが好ましくは３ｍｍ以上、更に好ましくは５〜５０ｍｍ、一層好ましくは１０〜２０ｍｍである。これによって、シート状の吸収マットに比べて尿の吸収量が多くなり、また強度も高くなる。更に、粒状タイプの吸尿材と異なり、取り扱い時に粉塵が発生することが殆どなく廃棄が容易となる。
【００３３】
押さえ具１４は枠体からなり、平面視して受け皿１１における起立した周縁部１５の形状と合致した形状となっている。またその縦断面は、受け皿１１における周縁部１５の縦断面と合致した形状となっている。押さえ具１４には、その天面から垂下し且つ受け皿１１における周縁部１５の内面と対向する壁状リブ１７が形成されている。リブ１７は、枠状となっている押さえ具１４の全周に連続して形成されている。トイレ１０が組み立てられた状態においては、図６に示すように、表面シート１３が、リブ１７と、受け皿１１における周縁部１５の内面との間に挟持されて固定される。前述のとおりリブ１７及び周縁部１５は連続して形成されているので、表面シート１３は連続して面状で固定されることになる。その結果、固定に起因する表面シート１３の皺発生が効果的に防止され、皺の発生に起因する表面シート１３上での尿の液溜まりの発生が防止される。
【００３４】
本実施形態によれば、表面シート１３に付着している有効成分は、その一部が尿に溶解して尿と共に尿吸収マット１２へ移行し、尿吸収マット１２中を拡散する。尿吸収マット１２に移行した有効成分は、該尿吸収マット１２中において消臭作用を発揮して、該尿吸収マット１２に吸収されている尿から発生する悪臭を消臭する。
【００３５】
以上、本発明をその好ましい実施形態に基づき説明したが、本発明は前記実施形態に制限されない。例えば前記の各実施形態においては、おが屑の抽出液を、予めペット用シート１やペット用トイレ１０の構成部材に施しておいたが、これに代えて、該抽出液をそのままで、或いは、該抽出液に他の成分を添加してペット用消臭剤となし、該消臭剤を、使用前又は使用中のペット用シートやペット用トイレに、噴霧や浸漬等の方法で施してもよい。
【００３６】
また、前記実施形態のペット用シート１において、表面シート２に抽出液を施す場合には、吸収体４中に別の消臭剤を含有させてもよい。同様にペット用トイレ１０においては、尿吸収マット１２中に別の消臭剤を含有させてもよい。但し、本発明のペット用シートやペット用トイレは、各々吸収体４又は尿吸収マット１２中に別の消臭剤が存在せずとも、充分な消臭効果を有している。
【実施例】
【００３７】
以下、実施例により本発明を更に詳細に説明する。しかしながら本発明の範囲はかかる実施例に制限されない。
【００３８】
〔実施例１〕
トド松１５ｇ（屑状にしたもの）をイオン交換水５００ｇに入れて２０℃で３時間、ときどき攪拌しながら放置した後、濾過によって固液分離を行い、抽出液を得た。これとは別に、図１ないし図４に示す形態のペット用シート１を製造した。表面シート２としては、坪量２０ｇ／ｍ2のポリプロピレン製スパンボンド不織布を用いた。この不織布を、上述の抽出液に３０分間浸漬した。その後、余分の抽出液を除去し、そのまま乾燥させて、該不織布に消臭効果を付与した。
【００３９】
裏面シート３としては、坪量３０ｇ／ｍ2であるポリエチレン製のフィルムを用いた。吸収体４としては、フラッフパルプと高吸収性ポリマーの粒子との混合積繊体からなる吸収性コア４１（坪量１５０ｇ／ｍ2）を、それぞれ坪量が１５ｇ／ｍ2である上面被覆シート４２及び下面被覆シート４３で被覆したものを用いた。
【００４０】
〔実施例２〕
実施例１において、消臭剤を表面シートに施すことなく代わりに吸収体４に施した。施した量は、実施例１と同量となるよう１００重量部の吸収体４に対して消臭剤５０重量部とした。これ以外は実施例１と同様の手順によりペット用シートを製造した。
【００４１】
〔実施例３〕
実施例１において、消臭剤を表面シート２に施すことに加え吸収体４にも施した。吸収体に施した消臭剤の量は実施例２と同様とした。これ以外は実施例１と同様の手順によりペット用シートを製造した。
【００４２】
〔比較例１〕
実施例１において、抽出条件を８０〜９０℃の煮沸条件とする以外は実施例１と同様にして得られた抽出液を用いた。この抽出液を用い、実施例１と同様の手順によりペット用シートを製造した。
【００４３】
〔比較例２〕
実施例１において、消臭剤としてカテキン粉末（（＋）−Ｃａｔｅｃｈｉｎ  ｈｙｄｒａｔｅ  ＳＩＧＭＡ社製）０．３ｇをエタノール３０ｍＬに溶解したものを用いた。その消臭剤を表面シートに７５ｇ／ｍ2スプレー後、エタノールを乾燥させた。これ以外は実施例１と同様の手順によりペット用シートを製造した。
【００４４】
〔実施例４〕
図５ないし図７に示す形態のペット用トイレ１０を製造した。表面シート１３としては、実施例１の表面シート２と同様の手順で製造したものを用いた。
【００４５】
〔評価〕
実施例及び比較例で得られたペット用シートについて以下の方法で表面の色の状態及び消臭効果を評価した。それらの結果を以下の表１に示す。
【００４６】
〔表面の色の状態〕
表面シートの色の状態を目視観察し、着色の有無を判断した。
【００４７】
〔消臭効果〕
ペット用シートにピペットを用いて犬尿１ｍＬをスポット状に滴下し、そのまま常温（２０℃）で放置し、犬尿添加３０分後にパネル３名により、シートから１０ｃｍ離れた位置から官能評価を行った。臭いの強さは、六段階臭気強度表示法に準じ、以下の基準で判定した。
０：無臭
１：ほとんど匂いなし
２：匂いはあるが、動物的な不快臭少ない
３：動物的な不快臭が感知できる
４：強い動物的な不快臭がある
５：非常に強い動物的な不快臭がある
【００４８】
【表１】
2008161150.tif 000003
【００４９】
表１に示す結果から明らかなように、実施例のペット用シート（本発明品）は、比較例のものに比べて尿の消臭効果に優れることが判る。
【図面の簡単な説明】
【００５０】
【図１】ペット用シートの一実施形態を示す斜視図である。
【図２】図１に示すペット用シートについて、その構成要素を分離して示す分解斜視図である。
【図３】図１におけるIII−III線断面図である。
【図４】図１におけるIV−IV線断面図である。
【図５】ペット用トイレの一実施形態を示す斜視図である。
【図６】図５におけるVI−VI線断面図である。
【図７】図６の分解図である。
【符号の説明】
【００５１】
１  ペット用シート
２  表面シート
３  裏面シート
４  吸収体
【図１】
2008161150.tif 000004
【図２】
2008161150.tif 000005
【図３】
2008161150.tif 000006
【図４】
2008161150.tif 000007
【図５】
2008161150.tif 000008
【図６】
2008161150.tif 000009
【図７】
2008161150.tif 000010